(57)【要約】【目的】電圧切替え作業時における作業性が向上でき作業ミスによる異常発熱を生ずるおそれのない分電盤における分岐線を提供すること。【構成】母線を挿んで両側に分岐開閉器が配設される分電盤の母線と分岐開閉器との間を接続する分岐線において，前記分岐線は，前記母線への取付部と，前記両側の分岐開閉器に向かって互いに延出した分岐開閉器に接続される接続部とを有し，該母線への取付部と接続部との境目にはスリット部を形成した。【選択図】図１
2005278345.tif 000002
【特許請求の範囲】
【請求項１】
母線を挿んで両側に分岐開閉器が配設される分電盤の母線と分岐開閉器との間を接続する分岐線において，
前記分岐線は，前記母線への取付部と，
前記両側の分岐開閉器に向かって互いに延出した分岐開閉器に接続される接続部とを有し，
該母線への取付部と接続部との境目にはスリット部を形成したことを特徴とする分電盤の分岐線構造。
【請求項２】
前記スリット部は，分岐線の母線との対向面側に設けたことを特徴とする請求項１記載の分電盤の分岐線構造。
【発明の詳細な説明】
【技術分野】
【０００１】
本発明は，分電盤に用いる母線と分岐開閉器との間を接続する分岐線の構造に関するものである。
【背景技術】
【０００２】
従来の分電盤における分岐線と，母線と分岐開閉器との接続状態を図７に示している。これら分岐開閉器と母線との接続にあたっては，Ｌ１相，Ｌ２相各々の分岐開閉器に，それぞれ専用の分岐線を設けて接続を行っていた。図中に示したように，母線５１０，５１１，５１２の両側には，分岐開閉器５０１，５０２が配設され，５１１はＬ１相母線，５１２はＬ２相母線，５１０はＮ相母線である。
【０００３】
分岐開閉器５０１はＬ１相側に配設された分岐開閉器で，
Ｌ１相母線５１１とは，分岐線５１１０を介して接続され，
Ｎ相母線５１０とは，分岐線５１０１を介して接続されている。
分岐開閉器５０２はＬ２相側に配設された分岐開閉器で，
Ｌ２相母線５１２とは，分岐線５１２０を介して接続され，
Ｎ相母線５１０とは，分岐線５１０２を介して接続されている。
各々の分岐線は，ねじにて母線に固定されており，特にＮ相母線５１０には，分岐線５１０１と５１０２とが母線５１０上で共に重なり合うようにねじで固定されている。
【０００４】
このように接続された分岐開閉器において，例えばＬ１相における分岐開閉器５０１の電圧切替え作業を行う場合，
まず，Ｎ相母線５１０に分岐線５１０１，５１０２を固定しているねじ５１０３を緩めて外す。次に，分岐線５１０２をよけるようにして分岐線５１０１を取外す。
そして，Ｌ２相母線５１２から分岐開閉器５０１に電力を分岐する専用の分岐線５１２１を，まずＬ２相母線５１２に配設してねじ固定する。
そして，分岐開閉器５０１を元の位置に取り付けて，分岐線５１１０，５１２１を端子部５０１ａ，５０１ｂに接続，ねじ締め固定する。
そして最後に，先ほど緩めたねじ５１０３を締め直して切替え作業を終了する。
【非特許文献１】日東工業株式会社，「2003-2004価格表」，H15年3月1日発行，704P-７図
【発明の開示】
【発明が解決しようとする課題】
【０００５】
しかしながら，従来のものにおいては，Ｎ相母線５１０に，
Ｌ１相用の分岐開閉器５０１に接続される分岐線５１０１と，
Ｌ２相用の分岐開閉器５０２に接続される分岐線５１０２との両方を，一本のねじで固定しているため，
電圧切替えの作業の際には，どちらの相の分岐開閉器の電圧切替えを行う場合でも必ずねじ５１０３を一旦緩めて取外して作業する必要があった。
【０００６】
このため，作業工程が多くなり，通常はありえないが，万が一ねじを締め忘れた場合などには流れる電流により異常発熱を生ずるおそれがあった。
本発明は，このような課題を解決し，電圧切替え作業時における作業性が向上でき作業ミスによる異常発熱を生ずるおそれのない分電盤における分岐線を提供することを目的としている。
【課題を解決するための手段】
【０００７】
上記の課題を解決するため，本件発明の請求項１では母線を挿んで両側に分岐開閉器が配設される分電盤の母線と分岐開閉器との間を接続する分岐線において，
前記分岐線は，前記母線への取付部と，
前記両側の分岐開閉器に向かって互いに延出した分岐開閉器に接続される接続部とを有し，
該母線への取付部と接続部との境目にはスリット部を形成したことを特徴として，分電盤の分岐線構造を提供したものである。
【０００８】
また，本件発明の請求項２では，前記スリット部は，分岐線の母線との対向面側に設けたことを特徴として請求項１記載の分電盤の分岐線構造を提供したものである。
【発明の効果】
【０００９】
第一の課題解決手段によれば，母線を挿んで両側に分岐開閉器が配設される分電盤の母線と分岐開閉器との間を接続する分岐線において，前記分岐線は，前記母線への取付部と，前記両側の分岐開閉器に向かって互いに延出した分岐開閉器に接続される接続部とを有し，
該母線への取付部と接続部との境目にはスリット部を形成したことを特徴として分電盤の分岐線構造を提供したため，
電圧切替作業にあたって，従来と比べて作業工程が減少し，Ｎ相母線のねじを緩める必要がないため，作業ミスによる電路の異常発熱を生ずるおそれがないという分岐線を提供できるという効果がある。また，部品点数を減らせ，コストの低減にもつながるという効果がある。
【００１０】
第二の課題解決手段によれば，前記スリット部は，分岐線の母線との対向面側に設けたことを特徴として請求項１記載の分電盤の分岐線構造を提供したため，
請求項１の効果に加え，電圧切替作業にあたって，分岐線の接続部を折り取る場合に発生するバリが母線に対面した側に発生せず，電気伝導性の信頼性を確保できる分岐線を提供できるという効果がある。
【実施例】
【００１１】
次に本発明の好ましい実施の形態を図を用いて説明する。
【００１２】
図１は本件発明の第一の実施例を示したものである。１は本発明の分岐線を示しており，母線２を挿んで両側に分岐開閉器が配設される分電盤の母線と分岐開閉器との間を接続するものである。母線２はＮ相の母線を示している。
【００１３】
分岐線１の母線への取付部においては，母線２に対してねじ３でねじ締め固定される。１０３はねじ３を貫通するねじ貫通部である。また，母線を挿んで配設される両側のＬ１相およびＬ２相の分岐開閉器に接続されるよう，分岐開閉器に向かって接続部１０１，１０２が互いに延出しており，銅部材で一体成形されている。尚，取付部と該接続部１０１，１０２の間の部分を脚部１ａ，１ｂとする。
【００１４】
このように，分岐線１単体において，Ｌ１相，Ｌ２相の両方の分岐開閉器と電気的な接続を行うことが可能である。
【００１５】
次に，図２に分岐線１の図１とは反対側面から見た図を示している。図中に示したように分岐線１の母線への取付部，即ち接触部１０６と，互いに延出した脚部１ａ，１ｂの境目付近には，スリット形成部１０４，１０５が設けられている。図３にはスリット部分の平面図を示している。通常このような分岐線においては，プレス加工により打ち抜き加工，及び曲げ加工されて形成されるが，プレス加工時に，母線との接触部１０６と，脚部１ａ，１ｂの境目付近にニッキング加工もしくはスコーリング加工等を行い，加工工程において板圧の方向に一部スリットを形成したものである。
【００１６】
次にこのように構成された分岐線１を用いた分電盤において，電圧の切替え作業を行う場合について説明する。図４は，分岐線１を用いて構成された分電盤を示した図である。図中に示したように母線４０１，４０２，４０３を挿んで両側に分岐開閉器４０６，４０７が配置され，
４０１はＮ相母線，
４０２はＬ１相母線，
４０３はＬ２相母線である。
【００１７】
分岐開閉器４０６はＬ１相側に配設された分岐開閉器で，
Ｌ１相母線４０２とは，分岐線４０２０を介して接続され，
Ｎ相母線４０１とは，分岐線１の脚部１ｂを介して接続されている。
分岐開閉器４０７はＬ２相側に配設された分岐開閉器で，
Ｌ２相母線４０３とは，分岐線４０３０を介して接続され，
Ｎ相母線４０１とは，分岐線１の脚部１ａを介して接続されている。
各々の分岐線はねじ４０１３にて母線に固定されている。
【００１８】
このように接続された分岐開閉器において，例えばＬ１相における分岐開閉器４０６の電圧切替え作業を行う場合，
まず，一旦分岐開閉器４０６を取外す。
次に，分岐線１の脚部１ｂをペンチ等の工具を用いて，図中上側方向に曲げて折り取り，
そして，Ｌ２相４０３から分岐４０６に電力を分岐する専用の分岐線４０３１をＬ２相母線４０３に配設してねじ固定する。
最後に，分岐開閉器４０６を元の位置に取り付け，分岐線４０２０，４０３１を分岐開閉器４０６の端子部に接続して作業を完了する。
【００１９】
このように従来例と比べると作業工程が減り，なおかつ，Ｎ相母線に分岐線１を固定しているねじを緩める必要がないために，電気的導通の信頼性が増す。
【００２０】
ここで，分岐線の脚部を折り取る場合について詳細に説明する。
【００２１】
まず，スリットを設けていない場合について説明する。母線への取付部と脚部との境目にスリットを設けていない場合，脚部を折り取ろうとすると，
脚部の根元には応力がかかり，材料の塑性変形により曲がろうとする。材料は銅部材で作られており，粘性があるため，何度か上下に繰り返し曲げ操作を行い折り取ることになる。このように何度か折り曲げられて折り取られた破断面は，図５に示すように，荒れた状態となり，なおかつ，部材の表面にバリ６０１，６０２が発生する。
【００２２】
ここで，６０３は母線への接触面であるから，母線との接触面にバリが発生することは，電気伝導性の面から好ましくない状態となる。また，何度も曲げを繰り返すことにより，母線への接触面に浮きが発生するおそれもある。
【００２３】
次に，スリットを設けている場合について説明する。図６にその詳細を示している。脚部にスリットを設けている場合には，脚部を折り取ろうとすると，
スリット１０５により，折れ曲がりの始点が定まっており，その部分から裂けるようにして１回の上向きの力だけで折り取ることが可能である。この場合には，母線への接触面側には予めスリットが設けられていることからバリは発生しない。このため，前述したような，母線との接触面６０３にバリが発生することによる，電気伝導性の低下につながる不用原因が生じず，なおかつ，脚部を折り取る作業性をも向上させることができる。
【００２４】
このように分岐線を構成したために，電圧切替え時における電圧切替え作業性のよい分岐線を提供することができる。
【産業上の利用可能性】
【００２５】
分電盤に用いる分岐線の一部にスリットを形成して折り取りやすくしているため，Ｎ相のみならず，Ｌ１相もしくはＬ２相の分岐線にも用いることが考えられる。
【図面の簡単な説明】
【００２６】
【図１】本発明の分岐線を母線に配置する場合の図である。
【図２】本発明の分岐線を示した図である。
【図３】本発明の分岐線の脚部を拡大した図である。
【図４】本発明の分岐線を用いて構成された分電盤を示した図である。
【図５】分岐線の脚部を折り取る場合の説明図である。
【図６】本発明の分岐線を折り取る場合の説明図である。
【図７】従来の例を示した図である。
【符号の説明】
【００２７】
１  分岐線
１０１  接続部
１０２  接続部
１０３  ねじ貫通部
１０４  スリット形成部
１０５  スリット形成部
１０６  母線との接触部
１ａ  脚部
１ｂ  脚部
２  母線
３  ねじ
４０１  Ｎ相母線
４０２  Ｌ１相母線
４０３  Ｌ２相母線
４０２０  分岐線
４０３０  分岐線
４０３１  分岐線
４０１３  ねじ
４０６  分岐開閉器
４０７  分岐開閉器
６０１  バリ
６０２  バリ
６０３  母線への接触面
５０１  分岐開閉器
５０２  分岐開閉器
５１０  Ｎ相母線
５１１  Ｌ１相母線
５１２  Ｌ２相母線
５１０１  分岐線
５１０２  分岐線
５１１０  分岐線
５１２０  分岐線
５１２１  分岐線
５１０３  ねじ
５１１３  ねじ
５１２３  ねじ
５０１ａ  端子部
５０１ｂ  端子部
５０２ａ  端子部
５０２ｂ  端子部
【図１】
2005278345.tif 000003
【図２】
2005278345.tif 000004
【図３】
2005278345.tif 000005
【図４】
2005278345.tif 000006
【図５】
2005278345.tif 000007
【図６】
2005278345.tif 000008
【図７】
2005278345.tif 000009